(57)【要約】【課題】吊線架設時の作業性に優れると共に各種ケーブルの安定した支持を確保する。【解決手段】左回り螺旋部３と右回り螺旋部５との間に配置される反転部７を、左回り螺旋部３から右回り螺旋部５に続く同一線上に揃う同じ向きのＬ−Ｒ反転部７−ａと前記Ｌ−Ｒ反転部７−ａと向きが異なると共に右回り螺旋部５から左回り螺旋部３に続く同一線上に揃う同じ向きのＲ−Ｌ反転部７−ｂとで形成し、各Ｌ−Ｒ反転部７−ａとＲ−Ｌ反転部７−ｂとに、軸線Ｘからみた側面において前記左回り螺旋部３及び右回り螺旋部５によって作られる同一円周上から大きく突出し合う反転部延長ストッパ１１を設けるようにする。【選択図】図１
2007104842.tif 000002
【特許請求の範囲】
【請求項１】
反転部を介して交互に連なる左回り螺旋部と右回り螺旋部とを有し、前記反転部は、左回り螺旋部から右回り螺旋部に続く同一線上に揃う同じ向きのＬ−Ｒ反転部と前記Ｌ−Ｒ反転部と向きが異なると共に右回り螺旋部から左回り螺旋部に続く同一線上に揃う同じ向きのＲ−Ｌ反転部とで形成され、各Ｌ−Ｒ反転部とＲ−Ｌ反転部とに、軸線からみた側面において前記左回り螺旋部及び右回り螺旋部によって作られる同一円周上から大きく突出し合う反転部延長ストッパを設けるようにしたことを特徴とする螺旋状支持具。
【請求項２】
前記反転部延長ストッパは、軸線からみた側面において各Ｌ−Ｒ反転部とＲ−Ｌ反転部の接線方向に沿って設けられていることを特徴とする請求項１記載の螺旋状支持具。
【請求項３】
前記反転部延長ストッパは、各Ｌ−Ｒ反転部とＲ−Ｌ反転部からの長さが３０ｍｍ以上であることを特徴とする請求項１又は２記載の螺旋状支持具。
【発明の詳細な説明】
【技術分野】
【０００１】
本発明は、線材、特に光集合ドロップケーブルなどの光ファイバケーブル、その他、各種ケーブルを束ねて一束化するために用いる螺旋状支持具に関する。
【背景技術】
【０００２】
螺旋状支持具は、スパイラル状に形成され電柱と電柱の間に掛け渡された吊線に架設された状態で使用される。その内部は軸線方向からみた時にトンネル状となっていて光ファイバ等の各種ケーブルが挿入配置されるようになっている。
【特許文献１】特公昭５２−４０３３号公報
【発明の開示】
【発明が解決しようとする課題】
【０００３】
螺旋状支持具は、所定長さのスパイラルの形状に作られていて、電柱と電柱の間に掛け渡された吊線に架設するには、螺旋状支持具の一端を吊線に差込み、そのまま一定方向に螺旋に沿って回転し続け、その内部に吊線を取込むことで吊線に架設される。同様に次の螺旋状支持具を前記動作によって吊線に架設させた後、各螺旋状支持具同志を連結具で一体に結合する作業を電柱間の全領域にわたって繰り返し行ない一本の連続する螺旋状支持具として使用するため、架設作業に多大の時間を必要とする。特に、吊線への架設作業が大変面倒となり、作業性の面で望ましくなかった。
【０００４】
そこで、本発明にあっては吊線架設時の作業性に優れると共に、各種ケーブルの安定した支持を確保する螺旋状支持具を提供することを目的としている。
【課題を解決するための手段】
【０００５】
前記目的を達成するために、本発明にあっては、反転部を介して交互に連なる左回り螺旋部と右回り螺旋部とを有し、前記反転部は、左回り螺旋部から右回り螺旋部に続く同一線上に揃う同じ向きのＬ−Ｒ反転部と前記Ｌ−Ｒ反転部と向きが異なると共に右回り螺旋部から左回り螺旋部に続く同一線上に揃う同じ向きのＲ−Ｌ反転部とで形成され、各Ｌ−Ｒ反転部とＲ−Ｌ反転部とに、軸線からみた側面において前記左回り螺旋部及び右回り螺旋部によって作られる同一円周上から大きく突出し合う反転部延長ストッパを設けるようにしたことを特徴とする。
【発明の効果】
【０００６】
本発明の螺旋状支持具によれば、電柱と電柱の間に掛け渡された吊線に対して架設する際には、螺旋状支持具の同じ向きに揃う、例えば、各Ｌ−Ｒ反転部を順々に差込み、全体を仮支持させた後、そのまま差込み方向に沿って端から順々に螺旋に反って左回りに回転させれば各左回り螺旋部を吊線内へ取込むことができる。
【０００７】
続いて吊線の外にある各Ｒ−Ｌ反転部を吊線に対して順々に差込み、そのまま差込み方向に沿って端から順々に螺旋に沿って右回り回転させれば各右回り螺旋部を吊線内へ取り込めるようになり、螺旋状支持具を吊線に対して迅速、容易に架設することができる。
【０００８】
一方、吊線に架設された螺旋状支持具は強い風の影響で大きく揺れたとしても反転部延長ストッパが高い壁となってケーブル等は内部にとどまるため長期間にわたって確実に安定した保持状態を確保することができる。
【発明を実施するための最良の形態】
【０００９】
本発明は第１に、前記反転部延長ストッパを、軸線からみた側面において各Ｌ−Ｒ反転部とＲ−Ｌ反転部の接線方向に沿って設け、作業性を損なうことなく反転部延長ストッパの長さが大きく確保できるようにする。
【００１０】
第２に、前記反転部延長ストッパを、各Ｌ−Ｒ反転部とＲ−Ｌ反転部から３０ｍｍ以上の長さとし、風等の影響で大きく揺れても反転部延長ストッパが高い壁となってケーブル等は内部に確保にとどまる。
【実施例】
【００１１】
以下、図１乃至図５の図面を参照しながら本発明の実施形態について具体的に説明する。
【００１２】
図１は本発明にかかる螺旋状支持具の一部分の概要斜視図を示している。
【００１３】
螺旋状支持具１は、左回り螺旋部３と右回り螺旋部５が反転部７を介して交互に連なる形状に作られていて、材質には鋼線が用いられている。
【００１４】
左回り螺旋部３は、軸線Ｘを中心として左回りに巻かれた形状となっている。右回り螺旋部５は軸線Ｘを中心として右回りに巻かれた形状となっていて、各巻数は吊線９を内部へ取込む時の作業性を考慮して１．６〜１．７巻きとなっている。
【００１５】
反転部７は、左回り螺旋部３から右回り螺旋部５に続く同一線上に揃う同じ向きのＬ−Ｒ反転部７−ａと、前記Ｌ−Ｒ反転部７−ａと向きが異なると共に右回り螺旋部５から左回り螺旋部３へ続く同一線上に揃うＲ−Ｌ反転部７−ｂとで形成されている。
【００１６】
Ｌ−Ｒ反転部７−ａとＲ−Ｌ反転部７−ｂは、図２，図３に示すように左回り螺旋部３と右回り螺旋部５とによって作られる同一円周上から突出し、その突出した反転部７に反転部延長ストッパ１１がそれぞれ全部にわたって設けられている。
【００１７】
反転部延長ストッパ１１は、合成樹脂の材質で作られていて反転部７の円弧面に沿って嵌合し合う嵌合凹部１３とその嵌合凹部１３から一体に延長された棒状のストッパ本体１５とからなり、嵌合凹部１３は反転部７に対して超音波溶着等による固着手段によって一体に固定支持されている。
【００１８】
反転部延長ストッパ１１のストッパ本体１５は、反転部７の接線方向に沿って配置されている。これは、図２に示すように、ストッパ本体１５の先端の長さＬは仮想線の時、中心０からの距離Ｒ１は最小となり、以下実線へ向かう軌跡を示すようになるが、この時、中心０からの距離Ｒが一番大きくとれる位置が接線方向となっている。
【００１９】
この場合、接線を越えてさらに外側へ回動することで中心０からの距離を長くとれるがケーブル等が越えやすくなる。接線位置がストッパとしての機能が得られるベスト位置となっている。
【００２０】
これにより、Ｌ−Ｒ反転部７−ａとＲ−Ｌ反転部７−ｂに固着された反転部延長ストッパ１１の各ストッパ本体１５の先端は、図２に示すように軸線Ｘとなる側方からみた時に左回り螺旋部３と右回り螺旋部５によって作られる同一円周上より大きく突出した状態が得られる。この時のストッパ本体１５の長さＬは、実験の結果では３０ｍｍ以上とすることで、高い壁が作られる結果、強風等の影響により内部のケーブル等が不測の挙動が起きてもストッパ本体１５を越えることのない良好な結果が得られた。
【００２１】
このように構成された螺旋状支持具１において、電柱と電柱の間に掛け渡された吊線９に対して螺旋状支持具１を架設するには、代表例として例えば図５に示すように軸線Ｘに沿わせた状態で、同一軸線上に揃う同じ向きのＬ−Ｒ反転部７−ａを順々に差込んで全体を仮支持させた後、続いてその差込み方向へ約２巻き、矢印のように左回りに回転させることで各左回り螺旋部３内に吊線９を取込めるようになる。
【００２２】
続いて吊線９の外にあるＲ−Ｌ反転部７−ｂを吊線９に対して右回りに順々に差込んでいき、そのまま右回りに約２巻き回転させることで、各右回り螺旋部７−ｂ内に吊線９を取込める。この結果、図４に示すように吊線９に対して螺旋状支持具１を迅速、容易に架設することができる。なお、Ｒ−Ｌ反転部７−ｂ及びＬ−Ｒ反転部７−ａを利用して、端から順々に吊線９を取込みながら架設する手段としてもよい。
【００２３】
一方、架設された螺旋状支持具に対してケーブル等１７を挿入配置した後に例えば、強い風の影響で大きく螺旋状支持具１を始めとして吊線９やケーブル等１７が揺れても反転部延長ストッパ１１が高い壁となるためケーブル等１７は内部にとどまり、長期間にわたり確実で安定したケーブルの保持状態を得ることができる。
【図面の簡単な説明】
【００２４】
【図１】本発明にかかる螺旋状支持具の一部分を示した概要斜視図。
【図２】螺旋状支持具を軸線からみた概要側面図。
【図３】反転部延長ストッパの取付け状態を示した一部分の拡大取付け状態図。
【図４】吊線に架設された状態の螺旋状支持具の一部分の概要斜視図。
【図５】吊設に対する螺旋状支持具の架設作業状態の一例を示した一部分の説明図。
【符号の説明】
【００２５】
１    螺旋状支持具
３    左回り螺旋部
５    右回り螺旋部
７    反転部
７−ａ    Ｌ−Ｒ反転部
７−ｂ    Ｒ−Ｌ反転部
９    吊線
１１    反転部延長ストッパ
Ｘ    軸線
【図１】
2007104842.tif 000003
【図２】
2007104842.tif 000004
【図３】
2007104842.tif 000005
【図４】
2007104842.tif 000006
【図５】
2007104842.tif 000007
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
反転部を介して交互に連なる左回り螺旋部と右回り螺旋部とを有し、前記反転部は、左回り螺旋部から右回り螺旋部に続く同一線上に揃う同じ向きのＬ−Ｒ反転部と前記Ｌ−Ｒ反転部と向きが異なると共に右回り螺旋部から左回り螺旋部に続く同一線上に揃う同じ向きのＲ−Ｌ反転部とで形成され、各Ｌ−Ｒ反転部とＲ−Ｌ反転部とに、軸線からみた側面において前記左回り螺旋部及び右回り螺旋部によって作られる同一円周上から大きく突出し合う反転部延長ストッパを有し、前記反転部延長ストッパは、別体に作られると共に軸線からみた側面において各Ｌ−Ｒ反転部とＲ−Ｌ反転部の接線方向に沿って取付けられていることを特徴とする螺旋状支持具。
【請求項２】
前記反転部延長ストッパは、反転部の円弧面に沿って嵌合し合う嵌合凹部と、嵌合凹部から一体に延長された棒状のストッパ本体とよりなることを特徴とする請求項１記載の螺旋状支持具。
【請求項３】
前記反転部延長ストッパは、各Ｌ−Ｒ反転部とＲ−Ｌ反転部からの長さが３０ｍｍ以上であることを特徴とする請求項１又は２記載の螺旋状支持具。
【手続補正２】
【補正対象書類名】明細書
【補正対象項目名】０００５
【補正方法】変更
【補正の内容】
【０００５】
前記目的を達成するために、本発明にあっては、反転部を介して交互に連なる左回り螺旋部と右回り螺旋部とを有し、前記反転部は、左回り螺旋部から右回り螺旋部に続く同一線上に揃う同じ向きのＬ−Ｒ反転部と前記Ｌ−Ｒ反転部と向きが異なると共に右回り螺旋部から左回り螺旋部に続く同一線上に揃う同じ向きのＲ−Ｌ反転部とで形成され、各Ｌ−Ｒ反転部とＲ−Ｌ反転部とに、軸線からみた側面において前記左回り螺旋部及び右回り螺旋部によって作られる同一円周上から大きく突出し合う反転部延長ストッパを有し、前記反転部延長ストッパは、別体に作られると共に軸線からみた側面において各Ｌ−Ｒ反転部とＲ−Ｌ反転部の接線方向に沿って取付けられていることを特徴とする。
【手続補正３】
【補正対象書類名】明細書
【補正対象項目名】０００６
【補正方法】変更
【補正の内容】
【０００６】
本発明の螺旋状支持具によれば、電柱と電柱の間に掛け渡された吊線に架設するにあたっては、螺旋状支持具の同じ向きに揃う、例えば、各Ｌ−Ｒ反転部から延長された反転部延長ストッパを吊線の外側から順々に差込み、吊線に対して全体が反転部延長ストッパの内側に位置する状態に仮支持させた後、そのまま差込み方向に沿って端から順々に螺旋に沿って左回りに回転させれば、各Ｌ−Ｒ反転部から各左回り螺旋部内へ吊線を順次取込むことができる。
【手続補正４】
【補正対象書類名】明細書
【補正対象項目名】０００７
【補正方法】変更
【補正の内容】
【０００７】
続いて各Ｒ−Ｌ反転部から突出する反転部延長ストッパを前記Ｌ−Ｒ反転部の反転部延長ストッパと同様に吊線に対して順々に差込み、そのまま差込み方向に沿って端から順々に螺旋に沿って右回り回転させれば各右回り螺旋部内へ吊線を順次取り込めるようになり、螺旋状支持具を吊線に対して迅速、容易に架設することができる。
【手続補正５】
【補正対象書類名】明細書
【補正対象項目名】０００８
【補正方法】変更
【補正の内容】
【０００８】
一方、接線方向に沿って取付けられた反転部延長ストッパによって高い壁を作ることができるため、吊線に架設された螺旋状支持具は強い風の影響で大きく揺れたとしても反転部延長ストッパが壁となって外へ飛び出るのを阻止する。この結果、ケーブル等は内部にとどまり長期間にわたって確実に安定した保持状態を確保することができる。
【手続補正６】
【補正対象書類名】明細書
【補正対象項目名】０００９
【補正方法】変更
【補正の内容】
【０００９】
本発明は第１に、前記反転部延長ストッパを、反転部の円弧面に沿って嵌合し合う嵌合凹部と、嵌合凹部から一体に延長された棒状のストッパ本体よりなる別体に作られた構造とする。
【手続補正７】
【補正対象書類名】明細書
【補正対象項目名】００１０
【補正方法】変更
【補正の内容】
【００１０】
第２に、前記反転部延長ストッパを、各Ｌ−Ｒ反転部とＲ−Ｌ反転部から３０ｍｍ以上の長さとし、風等の影響で大きく揺れても反転部延長ストッパが高い壁となって外への飛び出しを阻止しケーブル等を内部に確実にとどめるようにする。
【手続補正８】
【補正対象書類名】明細書
【補正対象項目名】００２１
【補正方法】変更
【補正の内容】
【００２１】
このように構成された螺旋状支持具１において、電柱と電柱の間に掛け渡された吊線９に対して螺旋状支持具１を架設するには、代表例として例えば図５に示すように軸線Ｘに沿わせた状態で、同一軸線上に揃う同じ向きのＬ−Ｒ反転部７−ａから突出する反転部延長ストッパ１１を吊線９に対して外側から順々に差込んでいき、全体が反転部延長ストッパ１１の内側に位置する状態に仮支持させた後、続いてその差込み方向へ約２巻き、矢印のように左回りに回転させることで各左回り螺旋部３内に吊線９を取込めるようになる。
【手続補正９】
【補正対象書類名】明細書
【補正対象項目名】００２２
【補正方法】変更
【補正の内容】
【００２２】
続いてＲ−Ｌ反転部７−ｂから突出する反転部延長ストッパ１１を前記Ｌ−Ｒ反転部７−ａの反転部延長ストッパ１１と同様に吊線９に対して右回りに順々に差込んでいき、そのまま右回りに約２巻き回転させることで、各右回り螺旋部７−ｂ内に吊線９を取込める。この結果、図４に示すように吊線９に対して螺旋状支持具１を迅速、容易に架設することができる。なお、Ｒ−Ｌ反転部７−ｂ及びＬ−Ｒ反転部７−ａを利用して、端から右回転、左回転させながら順々に吊線９を取込みながら架設する手段としてもよい。
【手続補正１０】
【補正対象書類名】明細書
【補正対象項目名】００２３
【補正方法】変更
【補正の内容】
【００２３】
一方、架設された螺旋状支持具に対してケーブル等１７を挿入配置した後に例えば、強い風の影響で大きく螺旋状支持具１を始めとして吊線９やケーブル等１７が揺れても接線方向に沿って取付けた反転部延長ストッパ１１が高い壁となるためケーブル等１７は外へ飛び出ることなく内部にとどまり、長期間にわたり確実で安定したケーブルの保持状態を得ることができる。